(57)【要約】【課題】  食材を天ぷら、フライ等の油揚げをする際に、ワークの進行、揚げカスの除去を同一の構成材にて達成し、然もその構成を軽量、簡易化して達成することにより、機構の保守点検を容易とし、その構成部分のメンテナンスを極めて簡素化できるようにする。【解決手段】  油槽と油槽に載置係合される枠体とより成り、該枠体両端に回動輪を設けると共に、該回動輪に牽引体を係架する一方、枠体の一端部に回動軸を設け、機体受部に設けた承部に係合させ、枠体を回動自在且つ着脱自在と為す。【選択図】  図１
2005296131.tif 000002
【特許請求の範囲】
【請求項１】
油槽と油槽に載置係合される枠体とより成り、該枠体両端に回動輪を設けると共に、該回動輪に牽引体を係架する一方、枠体の一端部に回動軸を設け、機体受部に設けた承部に係合させ、枠体を回動自在且つ着脱自在と為したことを特徴とする連続オートフライヤー。
【発明の詳細な説明】
【技術分野】
【０００１】
本発明はカツ、天ぷら等の揚げ物を連続的、自動的に製造する連続オートフライヤーに関する。
【背景技術】
【０００２】
オートフライヤーに於いて、その構造を大別すると、油槽と機構部と制御部に分類できるが、一般のオートフライヤー、或は連続オートフライヤーに於いては構造的に油槽と機構部とが一体化されているため、故障などのメンテナンスの際には多くの場合技術者が現場に赴き、メンテナンスする必要があった。
【０００３】
連続オートフライヤーに於いて、揚げ物食材を載置し搬送するコンベヤーとその上にあって揚げ物食材を押え、搬送コンベヤーと共に油槽中の油の中を食材を進行させ、揚げ物を完成させる装置が提案されている。
然して、この装置は搬送コンベヤー、押えコンベヤー共に金属のメッシュコンベヤーにて形成され、且つ製品排出のシューターまで連続しているので、長大で且つ重量が大である。
この構成を機体に回動可能に設置し、油槽中より起こし、油槽中の清掃機構の修理、改修等に使用する発明が提案されている。（特許文献１参照）
【０００４】
【特許文献１】特開２００１−３０９８５７号公報
【発明の開示】
【発明が解決しようとする課題】
【０００５】
然して、機構部と油槽と分割して構成することは従来提案されている処ではあるが、従来の前述の技術に於いては、二重のコンベヤーが長く設けられる必要があり、重量、大きさのために機体上に取外したり該部を簡単に送ることは困難のため、設置場所にて修理、保守する必要があった。このため、メンテナンスが大変で人手、時間がかかる作業になってしまい、使用者、需要者に大きな負担が課されている。
【課題を解決するための手段】
【０００６】
そこで本発明に於いては、フライヤー、特にオートフライヤーを油槽部と揚げ機構、制御部に構成し、揚げ機構を小型軽量化し、油槽部、制御部と簡単且つ容易に分離でき、その部分を簡単にメーカー、修理業者に移送でき、メンテナンスを極めて容易に行わんとするもので、油槽と油槽に載置係合される枠体とより成り、該枠体両端に回動輪を設けると共に、該回動輪に牽引体を係架する一方、枠体の一端部に回動軸を設け、機体受部に設けた承部に係合させ、枠体を回動自在且つ着脱自在と為したことを特徴とする。
【発明の効果】
【０００７】
上記の如き本発明に於いて油槽と油槽に載置係合される枠体とより成り、該枠体両端に回動輪を設けると共に、該回動輪に牽引体を係架する一方、枠体の一端部に回動軸を設け、機体受部に設けた承部に係合させ、枠体を回動自在且つ着脱自在と為したので、回動輪には牽引体が係架され、牽引体に設けるスカートにより、ワークの油中の進行及び油槽底部に溜まる揚げカスの払拭、排出が行われる機構が枠体に設けられる。このため、これら機構部は一部分に集約的に設けられ、軽量化、コンパクトが達成できる。然も、該枠体は器体上に一方端は軸と軸承部により回動自在となり、枠体を開き上げて、各機構或は油槽の点検整備が容易に行われる。
【０００８】
又、故障などのメンテナンスを要する場合、器体上に載置されているだけの枠体を取外し、宅配等の簡易な輸送手段で現場に配送し、現場作業の交換、修復が容易に実施できる。
【発明を実施するための最良の形態】
【０００９】
以下、図に示す実施例により本発明を詳細に説明する。
１は油槽で器体２上に設置される。油槽１には枠体２９が載置され、その一部は油槽１に合せた形状とし、船型とし、油槽１に中央部を収容される如く構成してある。枠体２９の両側端には軸３、４端に回動輪としてのスプロケット５，５，…を設け、２つのスプロケット５，５間に牽引体としてのチェーン６，６を係架してある。スプロケット５，５，…は軸３、４により油槽１より上部に設置してある。牽引体をワイヤロープ等の索条にすることが出来るが、その際には回動輪を滑車、溝車等を使用する。この際、チェーン６上部は上部ローラー７,７１にて上面を規制され、油面３７以下に置かれるのがよい。又、チェーン６下部は下部ローラー８,８１により、その位置を規制してある。
９はモーターで、変速機１０を介して１つのスプロケット５を駆動自在に係合してある。
油槽１の両側底部には、斜状の側壁１１,１２を形成し、底板１３に接続して船型の油槽１を形成してある。
【００１０】
１４は油、揚げカス通過自在の間隔を設けた中底で、油槽１の中程に適宜間隔にパイプ或はロッドを設置して形成してある。これはすのこ状、板体に多数の通孔を設けた板状等所望形状に形成できる。斜状の側壁１１,１２には適宜間隔を置き、その上部に夫々同程度の斜状に形成した滑り板１５、滑り出し部１６を中底１４の両端に連接してある。この滑り板１５、滑り出し部１６は板体に透孔を開けたもの、パイプやロッドを等間隔に並列したもの等適宜選択できる。この滑り板１５、滑り出し部１６には夫々係止部３４，３４を設け、枠体２９に設けた杆３５，３５に係合せてあり、滑り板１５、滑り出し部１６は着脱自在としてある。
１７，１７，…はヒーターで、中底１４下部に設置され、滑り板１５に近い部分、中央部分、滑り出し部１６に近い部分に分割されるのがよい。該ヒーター１７，１７，…は夫々所定位置に設置されるセンサー（図示せず）と連結し、所望温度を保持する如くしてある。
【００１１】
チェーン６，６には、適宜間隔にスカート１８，１８，…を係架してある。該スカート１８はチェーン６上部と中底１４間の適宜高さの板体より成り、適宜透孔を穿設して油の通りをよくしてある。勿論ロッドやパイプを並列にした型でもよい。このスカート１８、その上端両側をチェーン６，６に回動自在に設置してある。
１９はガイドで、油槽１の側方に於いてチェーン６，６と滑り板１５、中底１４、滑り出し部１６の上方に適宜間隔をおいて設置される。このガイド１９は、スカート１８の両面に設けたガイドローラー２０，２０がその下面を摺接して回動移動するように構成されている。
【００１２】
２１はカーテンで、スカート１８の一側面に上端を係架した揚げカス２８，２８，…をかき出す装置であり、金網、凸凹板等の表面凸凹のある揚げカスを引きずり,移動できる機構である。
側壁１１の上端には、揚げカスの投入口２２を設け、その下部に容器２３を着脱自在に設けてある。
滑り出し部１６の上端はやや下方に垂下１６１させてシュートとし、その対応部の側壁１２の対応部に開口２４を設け、受け板２５を設置してある。その受け板２５の下面には、製品受け皿２６を必要に応じて設置自在としておく。
２７はドレインで、油槽１の底板１３に設置し、必要に応じバルブ２７１に連通してある。
【００１３】
又、枠体２９には中底１４、滑り板１５、滑り出し部１６を取付け、更にヒーター１７，１７，１７をも設置してある。
該枠体２９は、器体２の一端に設けた軸承部３０に、その一部に設けた軸３１を載置させ、該軸３１を軸として回動可能に設置されている。枠体２９の他端は、器体２の他方端に載置自在としてある。従って、枠体２９は、その両端を器体２上に載置してあるので、着脱自在である。
【００１４】
３２はカツ、天ぷら等のワーク３３のワーク押えで、油槽１中央上方に中央から後半にかけて設け、適宜間隔に配置した板体よりなる。３２１はワーク押え３３の把手である。
他の実施例として、スカート１８とカーテン２１とを分離せず一体的に構成し、カーテン２１の構成材、例えば金網、凸凹板をスカート１８として構成することも出来る。
又、他の実施例として、スカート１８のガイドローラー２０，２０をガイド１６に係架する、所謂スカート１８を直立してワーク３３，３３，…を押す構成を止め、スカート１８上端をチェーン６，６に係止するだけでも、ワーク３３，３３，…を押す構成、油槽１、底板１３の揚げカスを保持引き摺る作動は可能である。勿論この場合、スカート１８の重量或はチェーン６，６との係合位置を考慮する必要もある。３６は制御部である。
【実施例１】
【００１５】
以下、その作動について説明する。
油槽１に油を入れてヒーター１７，１７，１７により加熱する。この加熱はヒーター１７，１７，１７の分離により夫々の加熱温度を選定できる。通常の作業温度は出口付近、即ち滑り出し部１６上で通常の豚カツで１７５℃である。滑り板１５上でワーク３３を投入するが、この部分はカツ等はチルドが多いため、温度が低下する。これに備えて滑り板１５に近いヒーター１７は温度を高く設定して高い温度にするのがよい。通常豚カツを揚げる際に、他の部分より１０℃程度高い１８５℃程度がよい。
【００１６】
一方、モーター9の回転により、変速機10を介して軸３を回動させ、その両端に固定したスプロケット５，５によりチェーン６，６を回動させる。チェーン６，６の回動により、チェーン６，６に係架したスカート１８，１８，…も同時に移動せしめられる。ヒーター１７，１７，１７により油槽１の油の温度が作業温度になったとき、ワーク３３，３３，…を滑り板１５より滑り落とす。然るときチェーン６，６の回動によりスカート１８も移動される。このスカート１８は、チェーン６により頭部を係止されているが、スプロケット５，５の中天を通るとすぐガイド１９下部にガイドローラー２０が入り、スカート１８は上はチェーン６に引張られ、下はガイドローラー２０がガイド１９下面を滑動する。そして、スカート１８が上部ローラー７を過ぎるまで、下向き斜行して進行し、ローラー７を過ぎると直立してチェーン６の進行とともに進む。このときスカート１８は油中のワーク３３，３３，…を押しながら進む。
【００１７】
このワーク３３，３３，…は揚げられると水分が蒸発し軽くなり、浮上することになる。この状態を放置すると、表面が油上に出て均一に揚がらないことになるので、このワーク３３，３３，…を油から浮上しないようにワーク押え３２により油面下に押えられて進行する。この進行中にワーク３３，３３，…より揚げカス３４，３４，…がワーク３３，３３，…より落ちて、中底１４、ヒーター１７の間隙より落下して底面に蓄積されてゆく。
ワーク３３，３３，…は、ワーク押え３２を過ぎると、ワーク３３，３３，…の押さえが外れて油面に浮上して、スカート１８に押されて進む。そして、ローラー７１を過ぎると、油から離れて、滑り出し部１６を押し上げられ、油を切りつつ進み、最後に油を切られた状態で垂下部１６１から落ち、側壁１２の開口２４より受け板２５を介して受け皿２６に落とし込まれる。
【００１８】
他方、ワーク３３，３３，…を押して進行してきたスカート１８は、進行につれてそのガイドローラー２０，２０がガイド１９を外れる。このため、スカート１８は垂直状にチェーン６，６に係架されつつ進行する。スプロケット５，５に至り、スカート１８は後端を軸３に接しながらチェーン６，６に引かれてスプロケット５，５を回転し、続く進行により斜状の側壁１２に後端を摺りながらローラー８に至る。ローラー８,８１間に於いて、チェーン６，６は底板１３を摺りながら進行する。この際、スカート１８に係支したカーテン２１はスカート１８下面にて底板１３に沈殿した揚げカスを保持し、引き摺り底板１３を払拭して移動する。そして、スカート１８及びカーテン２１がローラー８１を過ぎ、斜状の側壁１１に沈殿した揚げカスを保持し、引き摺り、側壁１１を払拭しつつ進行し、投入口２２に至るとスカート１８及びカーテン２１はスプロケット５，５により吊られる型となり、垂直状になるため、引き摺り保持してきた揚げカスは投入口２２より落下し、下の容器２３に収容される。
この様に側壁１２、底板１３、側壁１１は、次々と回動してくるカーテン２１，２１，…により払拭され、常時揚げカスは排出されることになる。
【産業上の利用可能性】
【００１９】
本発明の上記構成によれば、油槽と機構部分、即ちワークを油中を前進させる機構、油を加熱する機構、揚げカスを常時排出させる機構が軽量化、コンパクト化され、機構部のみの開閉、取付け、取外しが極めて容易となり、故障そのメンテナンス用給仕、対象のユニットを宅配等の簡易な輸送手段にて現場に配送し、現場作業員が容易に交換、修復できる。従って、オートフライヤーの移動の確保が円滑で作業効率の増大確保に資する。
【図面の簡単な説明】
【００２０】
【図１】本発明一実施例正面概略説明図
【図２】同上側面概略説明図
【図３】同上一部拡大平面説明図
【図４】同上一部縦断拡大側面説明図
【図５】同上横断拡大正面説明図
【図６】同上要部拡大正面説明図
【符号の説明】
【００２１】
１  油槽
２  器体
３  軸
４  軸
５  スプロケット
６  チェーン
９  モーター
１０  変速機
１３  底板
１４  中底
１５  滑り板
１６  滑り出し部
１７  ヒーター
１８  スカート
【図１】
2005296131.tif 000003
【図２】
2005296131.tif 000004
【図３】
2005296131.tif 000005
【図４】
2005296131.tif 000006
【図５】
2005296131.tif 000007
【図６】
2005296131.tif 000008